(57)【特許請求の範囲】
【請求項１】
ダクトと、
前記ダクトの内部を軸方向に流れる気流を発生させる送風機と、
極性が異なるイオンを発生する少なくとも一対の放電針を有する複数個のイオン発生器と、を備え、
前記イオン発生器は、前記ダクトに前記一対の放電針の少なくとも尖端が前記ダクトの内部に突出するように配置されており、
前記複数個のイオン発生器が前記ダクトの周方向に間隔をあけて配置され、
前記ダクトの前記送風機と前記イオン発生器との間の部分には、前記ダクトの内部を周方向に前記放電針と同数の領域に分割するとともに前記気流を軸方向に整流する整流部材が備えられており、
前記整流部材で分割された各領域は少なくとも１個の前記放電針と軸方向に重なる除電装置。
【請求項２】
複数個の前記イオン発生器は、極性が異なる前記放電針が周方向に隣り合うように配置され、
全ての前記放電針が周方向に等間隔で配置される請求項１に記載の除電装置。
【請求項３】
前記送風機は、軸流プロペラと、前記軸流プロペラを回転駆動する電動機とを備えており、
前記電動機は前記ダクトの内部に設けられており、
前記電動機の外周面が前記放電針の先端と前記ダクトの径方向に対向する請求項１又は請求項２に記載の除電装置。
【請求項４】
前記ダクトは円形断面の円筒部と、前記円筒部と一体的に連結されているとともに前記イオン発生器が配置される取付部とを備えており、
前記取付部は前記放電部のそれぞれを取り付ける複数個の平面部分と、複数個の前記平面部分を周方向に連結する連結部分とを有している請求項１から請求項３のいずれかに記載の除電装置。
【請求項５】
前記取付部の軸と垂直な断面の断面積は、前記円筒部の軸と垂直な断面の断面積よりも小さく、前記円筒部から前記取付部に向かって小さくなる傾斜面が形成されている請求項４に記載の除電装置。
【発明の詳細な説明】
【技術分野】
【０００１】
本発明は、放電電極の放電で生じたイオンで除電する除電装置に関するものである。
【背景技術】
【０００２】
従来の除電装置として、特許文献１に示すものがある。この除電装置は、箱型の本体の内部に前後面がほぼ八角形に開口した枠部と、前記枠部の内側にモータ付きファンを複数のリブにより保持するとともに、前記枠部の内周面にプラス・マイナス複数対の針状放電電極を稙設した構成を有している。この除電装置によると、前記針状放電電極の放電により生じたプラス・マイナスのイオンは前記ファンによる送風によって前方に送り出される。これにより、プラス・マイナスのイオンによって除電している。
【先行技術文献】
【特許文献】
【０００３】
【特許文献１】特許第４４１０２５８号公報（段落００１９〜００２０）
【発明の概要】
【発明が解決しようとする課題】
【０００４】
しかしながら、上記従来の除電装置の場合、前記針状放電電極を八角形状の枠部に稙設するものであるため、隣合う前記針状放電電極の間隔が狭い部分が存在する。ファンによる送風はらせん状の流れであるため、針状放電電極の間隔が狭い部分では、マイナスイオンとプラスイオンとの接触により中和されやすくなる。これにより、イオンバランスが悪くなってしまう恐れがある。
【０００５】
また、前記枠体の大きさは、要求されるファンの風量によって変化する。そして、前記枠体の形状がほぼ八角形であることから、前記枠体の大きさが変化すると、辺の大きさも変化する。そのため、前記複数対の針状放電電極の設置位置を調整しなくてはならず、製造に手間と時間がかかる。
【０００６】
そこで、本発明は、簡単な構成で、プラスイオンとマイナスイオンとがバランスよく含まれる気流を送出することができる除電装置を提供することを目的とする。
【課題を解決するための手段】
【０００７】
上記目的を達成するために本発明は、ダクトと、前記ダクトの内部を軸方向に流れる気流を発生させる送風機と、性が異なるイオンを発生する少なくとも一対の放電針を有する複数個のイオン発生器と、を備え、前記イオン発生器は、前記ダクトに前記放電針の少なくとも尖端が前記ダクトの内部に突出するように配置されており、前記複数個のイオン発生器が前記ダクトの周方向に間隔をあけて配置されている除電装置を提供する。
【０００８】
この構成によると、ダクトの周方向にイオン発生器が配置されているので、ダクトの全体にイオンをいきわたらせることが可能である。
【０００９】
上記構成において、隣合う前記放電針が異なる極性のイオンを発生するものであるとともに前記放電針の先端が前記周方向に等間隔に配列されていてもよい。このように配置することで、ダクト内でのイオンのバランス（濃度のバランス）を高めることが可能である。
【００１０】
上記構成において、前記ダクトの前記送風機と前記イオン発生器との間の部分には、前記ダクトの内部を周方向に前記放電針と同数の領域に分割するとともに前記気流を軸方向に整流する整流部材が備えられており、前記整流部材で分割された各領域は少なくとも１個の前記放電針と軸方向に重なるようにしてもよい。このように構成することで、放電針に向けて流れる気流が軸方向であるとともに、領域ごとに放電針が設けられるので、放電針で発生したイオンを含む気流が隣の領域から流れた気流に含まれるイオンと衝突しにくく、イオンが中和されにくい。これにより、外部に吹出されるイオンの量が減少するのを抑制することができる。また、らせん状の流れを軸方向に整流しているため、より遠くまでインを届けることが可能である。
【００１１】
上記構成において、前記送風機は、軸流プロペラと、前記軸流プロペラを回転駆動する電動機とを備えており、前記電動機は前記ダクトの内部に設けられており、前記電動機の外周面が前記放電針の先端と前記ダクトの径方向に対向するように配置されている。一般的に、軸流プロペラの気流吐出側の中心部分では、逆方向の流れが発生し渦が発生しやすくなっている。この渦が発生しやすい部分に電動機を配置することで、渦の発生を抑制する。これにより渦に巻き込まれるイオンを無くすとともに、渦に巻き込まれた異なる極性のイオンが中和されるのを抑制することが可能である。
【００１２】
上記構成において、前記ダクトは円形断面の円筒部と、前記円筒部と一体的に連結されているとともに前記イオン発生器が配置される取付部とを備えており、前記取付部は前記放電部のそれぞれを取り付ける複数個の平面部分と、複数個の前記平面部分を周方向に連結する連結部分とを有していてもよい。
【００１３】
上記構成において、前記連結部分が曲面であり、前記連結部分の曲率中心が前記ダクトの中心軸と重なるものであってもよい。
【００１４】
上記構成において、前記取付部の軸と垂直な断面の断面積は、前記円筒部の軸と垂直な断面の断面積よりも小さく、前記円筒部から前記取付部に向かって小さくなる傾斜面が形成されていてもよい。
【００１５】
上記構成において、前記取付部が前記イオン発生器の個数の２倍の辺を有する多角形であってもよい。
【００１６】
上記構成において、前記ダクトの前記放電部よりも気流の下流側に前記ダクトの軸と垂直な１方向に偏平させた吐出部が設けられていてもよい。吐出部を着脱可能として、用途に合わせて付け替えるようにしてもよい。
【発明の効果】
【００１７】
本発明によると、簡単な構成で、プラスイオンとマイナスイオンとがバランスよく含まれる気流を送出することができる除電装置を提供することができる。
【図面の簡単な説明】
【００１８】
【図１】本発明にかかるイオン発生装置を備えた除電装置の一例の正面図である。
【図２】図１に示す除電装置の側面図である。
【図３】図２に示す除電装置の断面図である。
【図４】図２に示す除電装置の分解斜視図である。
【図５】本発明にかかるイオン発生装置に備えられるイオン発生器の一例を示す概略図である。
【図６】除電装置のダクトを軸と垂直な面で切断した断面図である。
【図７】図６に示すダクトの軸に沿う面で切断した断面図である。
【図８】本発明にかかる除電装置の他の例のダクトを軸方向に見た図である。
【図９】図８に示すダクトの軸に沿う面で切断した断面図である。
【図１０】発明にかかる除電装置のイオン発生器の配置状態を示す概略図である。
【図１１】発明にかかる除電装置のイオン発生器の配置状態を示す概略図である。
【図１２】本発明にかかる除電装置に用いられるルーバの一例を示す正面図である。
【発明を実施するための形態】
【００１９】
以下に本発明の実施形態について図面を参照して説明する。
【００２０】
図１は本発明にかかるイオン発生装置を備えた除電装置の一例の正面図であり、図２は図１に示す除電装置の側面図であり、図３は図２に示す除電装置の断面図であり、図４は図２に示す除電装置の分解斜視図である。図１、図２に示すように、除電装置Ａは送風機１、イオン発生装置２、吹出し口３、スタンド４及び基板収容部５を備えている。
【００２１】
図２において、右側が背面側であり送風機１の正面側にイオン発生装置２が接触配置され、さらにイオン発生装置２の正面側に吹出し口３が接触配置されている。送風機１、イオン発生装置２及び吹出し口３はねじ等の締結具で固定されている。送風機１、イオン発生装置２及び吹出し口３は、中心軸が一致するように組み合わせられ、内部に軸方向に気流が流れるダクトＤｔが構成される。なお、ダクトＤｔ内部では、気流は背面側から正面側に流れる。
【００２２】
送風機１は、送風機ケース１０１、送風機カバー１０２、ファン１０３、ファンケース１０４、ステータ１０５（整流部材）、モータ１０６及びフィルタカバー１０７を備えている。送風機ケース１０１は、円筒形状の有底箱体であり、底部の中央部分に空気を吸入するための吸込口１０８を備えている。送風機ケース１０１の内部にはファンケース１０４が配置される。ファンケース１０４は円筒形状を有しており、気流のガイド（ダクトＤｔの一部）としての役割を果たす。
【００２３】
ファンケース１０４の内部にはファン１０３が中心軸回りに回転可能に設けられている。ファン１０３は軸流ファン（ここではプロペラファン）であり、ファン１０３が回転することで、軸方向に流れる気流が発生する。ファン１０３で発生する気流は、らせん状の気流であり、周方向の速度成分と軸方向の速度成分がある。ファン１０３が円筒形状のファンケース１０４の内部で回転することで、気流が径方向外側に分散するのを抑制する。
【００２４】
ファンケース１０４の気流の流れの下流側にファン１０３の羽根とは逆方向のらせん状の面を有する複数本（ここでは６本）のステータ１０５を備えている。複数本のステータ１０５は軸の周方向に一定間隔で配置されている。ファンケース１０４の下流側に気流の旋回方向と同方向にねじれたステータ１０５を設けることで、らせん状の気流の周方向の速度成分を軸方向の速度成分となるように整流する。なお、ステータ１０５はファン１０３と逆向きのらせん状の翼形状であってもよいし、平板状の部材であってもよい。ここでは、ファンケース１０４とステータ１０５とは一体で形成されているものとするが、ステータ１０５はファンケース１０４に取り付け固定されるものであってもよい。
【００２５】
図３、図４に示すように、モータ１０６はファンケース１０４の下流側に、ステータ１０５を挟んで本体が外側に突出するように固定されている。そして、モータ１０６の駆動軸はファンケース１０４の内部に突出しており、ファン１０３は駆動軸に固定されている。モータ１０６の駆動軸が回転することで駆動軸に固定されたファン１０３が回転する。図３、図４に示すように、複数個のステータ１０５はモータ１０６をファンケース１０４の中央部分に配置するための支持部材の役割も果たす。
【００２６】
ファン１０３及びモータ１０６が取り付けられたファンケース１０４は、ファン１０３が上流側、モータ１０６が下流側、すなわち、ファン１０３が背面側、モータ１０６が正面側になるように、送風機ケース１０１に取り付け固定される。なお、ファン１０３及びモータ１０６の中心が送風機ケース１０１の中心と一致する。そして、ファンケース１０４が送風機ケース１０１の吸込口１０８を囲むように配置されている。ファン１０３の回転によって気流が発生することで、吸込口１０８から吸い込まれた空気が無駄なくファンケース１０４に流入する。
【００２７】
送風機ケース１０１の正面側の開口を覆うように送風機ケース１０２が配置される。送風機カバー１０２はファンケース１０４とともに送風機ケース１０１に、ねじ止めにて固定される。送風機ケース１０１に送風機カバー１０２を固定することで、ファンケース１０４が送風機ケース１０１の内部に固定される。送風機カバー１０２は中央部分に貫通孔１１０が形成されており、ファン１０３の回転で発生した気流は貫通孔１１０を通って送風機１の正面側に流れる。
【００２８】
送風機カバー１０２の貫通孔１１０は、イオン発生装置２の後述する放電ユニット２０３の配置状態に合わせた形状を有している。具体的には、送風機ケース１０１の正面側に取り付けたときに、送風機ケース１０１の中心軸回りに法線が中心軸と直交するとともに等中心角度間隔に設けられた複数個の直線部分と、複数個の直線部分の端部同士を中心軸を中心とした円弧で結んだ形状を有している。そして、送風機カバー１０２を送風機ケース１０１に取り付けたとき、モータ１０６の本体部分は、貫通孔１１０を貫通する。
【００２９】
送風機１は以上のような構成を有しており、モータ１０６を制御してファン１０３を回転させることで、軸方向の気流が発生し、送風機カバー１０２の貫通孔１１０から軸方向に向かう気流が発生する。また、送風ケース１０１の背面側には、不図示のフィルタが配置されており、そのフィルタが脱落しないように保持するフィルタカバー１０７が取り付けられている。すなわち、吸込口１０８の外側がフィルタに覆われ、吸込口１０８から空気を吸い込むときに、塵埃等の異物をフィルタで捕集する。これにより、送風装置１の内部に異物が吸い込まれるのを抑制できる。
【００３０】
次にイオン発生装置２について説明する。イオン発生装置２は、ユニットケース２０１、ユニットカバー２０２、複数個（ここでは、３個）のイオン発生器２１及びイオン検出器６を備えている。ユニットケース２０１は有底円筒形状を有しており、底面部分に送風機カバー１０２の貫通孔１１０と同じ形状の通気口２０３を備えている。通気口２０３の辺縁部には、イオン発生器２１を保持するためのリブ２０４が軸方向に突出している。リブ２０４は、イオン発生器２１を保持するとともに、送風機カバー１０２の貫通孔１１０から吹き出した気流が漏れるのを防ぐためのダクトＤｔの一部を構成する。
【００３１】
イオン発生器２１は、放電によりプラスイオン及びマイナスイオンを発生するイオン発生器である。イオン発生器２０３について図面を参照して説明する。図５は本発明にかかる除電装置に用いられるイオン発生器の一例を示す概略図である。イオン発生器２１は、ケース２１１、プラス放電針２１２及びマイナス放電針２１３を備えている。また、ケース２１１の内部には、プラス放電針２１２とマイナス放電針２１３とに放電を発生させるための駆動回路（不図示）が設けられている。なお、駆動回路はプラス放電針２１２とマイナス放電針２１３との間に大きな電圧を印加するための昇圧トランスが備えられている。プラス放電針２１２及びマイナス放電針２１３とで放電を行うことで、プラスイオン及びマイナスイオンをそれぞれ発生させる。
【００３２】
イオン発生器２１は、ケース２１１の側面のうちの一面から、プラス放電針２１２とマイナス放電針２１３が距離Ｌ１となるように配置されている。イオン発生器２１をユニットカバー２０２のリブ２０４にプラス放電針２１２とマイナス放電針２１３がダクトＤｔ内に配置されるように、すなわち、軸方向から見てプラス放電針２１２とマイナス放電針２１３が通気口２０３と重なるように配置される。なお、本実施形態の除電装置Ａに用いられるイオン発生装置２では、３個のイオン発生器２１がダクトＤｔの周方向に、等中心角度（ここでは１２０°）をなすように配置されている。
【００３３】
そして、ユニットケース２０１のリブ２０４にプラス放電針２１２及びマイナス放電針２１３がダクトＤｔの内部に突出するように３個のイオン発生器２１を配置し、ユニットカバー２０２が取り付けられる。ユニットケース２０１とユニットカバー２０２とをねじ等の固定具で固定することで、イオン発生器２１はずれないように保持される。なお、イオン発生器２１の配置の詳細については、後述する。
【００３４】
ユニットカバー２０２の中央部分には、円形状の貫通孔２０５が設けられており、貫通孔２０５の辺縁部より径方向に下流に向かって突出する円筒形状のリブ２０６が設けられている。リブ２０６はダクトＤｔの一部を構成する部材である。送風機１の送風機カバー１０２の貫通孔１１０から吹き出した気流がイオン発生装置２の内部に形成されたダクトＤｔの一部を軸方向に流れる。そして、ユニットカバー２０２のリブ２０６の下流側の開口から外部に吹出される。なお、イオン発生器２１のプラス放電針２１２とマイナス放電針２１３の放電によって、プラスイオン及びマイナスイオンが発生する。そして、ダクトＤｔの内部でプラスイオン及びマイナスイオンを発生させることで、プラスイオン及びマイナスイオンを気流とともに外部に吹出す。
【００３５】
イオン発生装置２のユニットカバー２０２の下流側には吹出し口３が設けられている。吹出し口３は、ルーバ３０１と、グリッド３０２とを備えている。グリッド３０２は、例えば、メッシュ状の部材であり、吹出し口３から使用者の手指等が入らないようにするための安全を保つための部材である。ルーバ３０１は、ユニットカバー２０２の下流に取り付けられるものであり、リブ２０６と同径の内径を有する貫通孔３０３を有する。そして、ルーバ３０１の貫通孔３０３から気流が正面側に吹出される。そのため、ルーバ３０１は、気流の吹出し方向を調整するための部材である。また、グリッド３０２を押えるための押え部材でもある。
【００３６】
基板収容部５は、送風機ケース１０１の下部に一体的に形成されている直方体形状のケース５０１、送風機カバー１０２の下部に設けられた前カバー５０２を備えている。そして、送風機ケース１０１に送風機カバー１０２を取り付けることで、ケース５０１の前面を前カバー５０２で覆う。基板収容部５の内部には、送風機１のファン１０３の回転を制御するとともに、イオン発生装置２のイオン発生器２１の放電を制御する制御回路を備えた基板Ｂｄが配置されている。
【００３７】
また、前カバー５０２には、使用者による操作を受け付ける操作部が設けられている。操作部は、例えば、物理的な操作入力が可能な押しボタンを備える構成を有している。そして、操作部は基板Ｂｄに接続されており、操作部が操作されたときには、その操作が操作信号として基板Ｂｄの制御回路に送られる。制御回路は、その操作信号に基づいて、ファン１０３の回転制御及びイオン発生器２１の放電制御を行う。
【００３８】
なお、本実施形態では、基板収容部５を送風機１と一体的に形成したものとしているが、別体で形成して、組み合わせる構成であってもよい。また、送風機１の内部に基板Ｂｄを収納する構成とすることで、基板収容部５を省略することも可能である。
【００３９】
そして、基板収容部５のケース５０１をスタンド４が枢支している。スタンド４は平行に配置された立脚部４０１と、ヒンジ部４０２とを備えている。除電装置Ａが前後方向に回動するように基板収容部５のケース５０１を支持する。そして、使用者の所望する角度で停止することができる構成を有している。このような構成として、例えば、ゴムブッシュのような摩擦の大きな軸受けを取り付けて任意の位置で固定できるようにしたものや、ねじ止めで角度を固定することができるものを挙げることができる。
【００４０】
以上のような構成の除電装置Ａにおいて、イオン発生器２１のプラス放電針２１２とマイナス放電針２１３とから放電させるとともに、ファン１０３を駆動することで、送風機１とイオン発生装置２とにまたがって形成されたダクトＤｔの内部に発生したプラスイオンとマイナスイオンを気流に乗せて外部に放出する。
【００４１】
（第１実施形態）
次に本発明の要部である、イオン発生器２１の配置について図面を参照して説明する。図６は除電装置のダクトを軸と垂直な面で切断した断面図であり、図７は図６に示すダクトの軸に沿う面で切断した断面図である。なお、図６、図７に示すダクトＤｔは、ダクトの一部であり、ファンケース１０４とイオン発生装置２のイオン発生器を保持するリブ２０４で構成されるダクトＤｔである。
【００４２】
図６に示すように、除電装置Ａはプラス放電針２１２とマイナス放電針２１３がダクトＤｔ（ここでは、ユニットケース２０１のリブ２０４）の内側に突出するように配置されている。ダクトＤｔの内面は、３個のイオン発生器２１が配置される部分が平面Ｄｔ１で形成されているとともに、隣合う平面Ｄｔ１を曲面Ｄｔ２で接続している。
【００４３】
そして、３個のイオン発生器２１はそれぞれ、ダクトＤｔの中心軸回りに、１２０°の角度をあけて配列されている。３個のイオン発生器２１は、隣合う放電針が異なる極性になるように配置されている。つまり、各イオン発生器２１のプラス放電針２１２とマイナス放電針２１３は周方向に同じ並びになっている。そして、イオン発生器２１のプラス放電針２１２とマイナス放電針２１３の間は間隔Ｌ１であり、隣のイオン発生器２１のプラス放電針２１２とマイナス放電針２１３の間も間隔Ｌ１になるように配列されている。
【００４４】
このようにイオン発生器２１を配列することで、各々のイオン発生器２１におけるプラス放電針２１２とマイナス放電針２１３との電磁気的引力と、隣合うイオン発生器２１のプラス放電針２１２またはマイナス放電針２１３との電磁気的引力との関係が等しくなり、ダクトＤｔの内部でプラスイオンとマイナスイオンの量（濃度）のばらつきが少ない、すなわちバランスが良くなるようにプラスイオンとマイナスイオンを発生させることができる。
【００４５】
そして、ダクトＤｔのイオン発生器２１の上流側には、ファン１０３の回転で発生する気流のねじれと逆方向にねじる面を有する６本のステータ１０５が周方向に等間隔に並んで配置されている。ステータ１０５によって、ファン１０３の回転で発生した気流を軸方向に流れる気流に整流する。そして、図６に示すように、ステータ１０５によってダクトＤｔが周方向に等分割されている。各ステータ１０５のダクトＤｔ側の端部は、イオン発生器２１のプラス放電針２１２とマイナス放電針２１３とを隔てる位置に設けられている。この等分割されている領域と各イオン発生器２１のプラス放電針２１２又はマイナス放電針２１３の１つとが軸方向に重なるように配置されている。
【００４６】
ダクトＤｔのステータ１０５で分割された空間を通過することで気流の流れ方向が軸方向であるとともに、各領域と軸方向に重なる位置にプラス放電針２１２又はマイナス放電針２１３が配置されている。これにより、隣合う放電針が逆極性のイオンを発生しても、気流によって逆極性のイオンが混ざり合いにくく、外部に吹出されるイオンの量を多くすることができる。
【００４７】
また、図７に示すように、イオン発生器２１のプラス放電針２１２及びマイナス放電針２１３がモータ１０６とダクトＤｔの軸方向に重なる位置に設けられている。換言すると、モータ１０６が全てのイオン発生器２１のプラス放電針２１２及びマイナス放電針２１３とダクトＤｔの軸と交差する方向（径方向）に対向するように配置されている。モータ１０６は、ファン１０３で発生する気流の下流側で、ステータ１０５のさらに下流側に設けられている。
【００４８】
プロペラファンの空気を吐出する側の近傍では、中心軸の回りにファンから送出される気流と逆方向の空気の流れが発生する。つまり、プロペラファンの下流側の中心軸の周りの領域では、渦等が発生しやすくなっている。この領域にイオンを含む気流が流れると、プラスイオンとマイナスイオンが混在するとともに、結びついて中和されイオンの量が減少する。そこで、ファン１０３の下流近傍のダクトＤｔの中央部分にモータ１０６を配置することで、逆方向の気流の発生を抑制する。これにより、渦の発生を抑え、除電装置Ａの外部に吹出されるイオンが減少するのを抑制する。
【００４９】
以上に示したように、本発明にかかる除電装置Ａは、プラス放電針２１２とマイナス放電針２１３とを交互にダクトＤｔの周方向に等間隔で配置していることから、ダクト内でのプラスイオンとマイナスイオンの偏りを抑制することができる。
【００５０】
また、ファン１０３で生成されたらせん状に流れる気流をステータ１０５で軸方向に流れる気流に修正していることから気流が混ざりにくい。そして、ダクトＤｔはステータ１０５で６等分されているとともに、各領域の下流側にはそれぞれ、プラス放電針２１２又はマイナス放電針２１３が１個ずつ設けられている。ステータ１０５で区切られた領域からは軸方向に流れる気流が流出するため、プラス放電針２１２とマイナス放電針２１３とを隣り合わせに配置しても、プラスイオンを含む気流とマイナスイオンを含む気流とが混ざりにくく、イオンが中和されにくい。
【００５１】
そして、ステータ１０５で気流の周方向の速度成分を軸方向に変換することで、軸方向に送り出す力を増加させている。以上のことから、本発明にかかる除電装置Ａでは、プラスイオンとマイナスイオンの偏りが少なく、（イオンが中和されにくいため）イオン濃度が高い気流を遠くまで吹き付けることができる。
【００５２】
なお、イオン発生器２１として、プラス放電針２１２とマイナス放電針２１３とを一対備えたものを例に説明しているが、これに限定されるものではなく、複数対のプラス放電針２１２とマイナス放電針２１３とを備えていてもよい。この場合、ステータ１０５で分割された領域と重なるように配置される放電針が複数個となる。なお、ステータ１０５で分割された領域と重なる放電針の本数は、全て同数とすることで、イオンの偏りを抑制できるので、好ましい。
【００５３】
（第２実施形態）
本発明にかかる除電装置の他の例について図面を参照して説明する。図８は本発明にかかる除電装置の他の例のダクトを軸方向に見た図であり、図９は図８に示すダクトの軸に沿う面で切断した断面図である。本実施形態にかかる除電装置は、ダクトＤｓの形状が異なる以外、第１実施形態の除電装置Ａと同じであり、実質上同じ部分の詳細な説明は省略する。
【００５４】
図８、図９に示すように、ダクトＤｓは、上流側に円筒形ダクトＤｓ１と、下流側に下流に向かって断面積が狭くなるように形成されたテーパ形ダクトＤｓ２とを備えている。そして、円筒形ダクトＤｓ１とテーパ形ダクトＤｓ２とは内面が連続するように一体的に形成されている。そして、テーパ形ダクトＤｓ２は、円筒形ダクトＤｓ１との連結部分が円環状の断面を有するとともに、先端に向かって所定の距離を持って次第に六角形状の断面を有するように変形している（絞っている）。
【００５５】
このように円筒形状から六角形状に緩やかに変形していることで、イオン発生器２１を六角形状に設置したときに、イオン発生器２１による風路の妨げとなる部分を減らすことができる。これにより、気流の乱れを抑制し、効果的に偏りの少なくイオン濃度が高い（含まれるイオン量が多い）気流を外部に放出することができる。
【００５６】
なお本実施形態では、イオン発生器２１を３個備えているため、六角形状となるように絞っているが、絞る形状はイオン発生器２１の個数に合せて変化するものであってもよい。また、多角形状ではなく第１実施形態の貫通孔１１０や通気口２０３の形状、すなわち、複数個（３個）の直線部と複数個（３個）の曲線部とを組み合わせた形状で絞るような形状であってもよい。
【００５７】
（第３実施形態）
本発明にかかる除電装置のさらに他の例について図面を参照して説明する。図１０は本発明にかかる除電装置のイオン発生器の配置状態を示す概略図である。除電装置は、除電対象によって気流の流量を決定している。第１実施形態及び第２実施形態では、３個のイオン発生器２１を備えた構成であり、断面形状が六角形状或いは３個の直線を曲面で接続した形状を有している。このような断面形状で気流の流量を変更する場合、ファンの回転数を変更するか断面積を変更することで行われる。
【００５８】
ファンの回転数を変更すると、気流の流速が変化してしまい、イオンの濃度が不十分になったり、遠くまで気流を送り込むことが困難になったりする。また、断面形状を変更することなく断面積を変更すると、放電針の間隔を変更する必要があり、イオン発生器の構成を変更しなくてはならず、製造コストが高くなる。
【００５９】
そこで、本実施形態では、流量が異なる除電装置を形成する場合にイオン発生器２１の個数を調整するとともに、イオン発生器２１の配置及びダクトの形状を調整している。例えば、気流がイオン発生器２１が２個で十分な流量の場合、図１０に示すように、イオン発生器２１をダクトＤｒ１の中心軸を挟んで対称であり、４個の放電針の頂点で長さＬ１の正方形を形成するように配置するようにしてもよい。このように配置することで、形状、すなわち、プラス放電針２１２とマイナス放電針２１３の距離Ｌ１を変更することなく、気流の流量及びイオン濃度に合せた断面形状のダクトＤｓを形成することができる。
【００６０】
また、同様にイオン発生器２１が３個のときよりも多くの流量が要求される場合、図１１に示すようにイオン発生器２１を４個配置するとともに、各放電針が正八角形を形成するようにダクトＤｓ２を構成する。これにより、イオン発生器２１の形状を変更することなく、気流の流量を増やすことが可能である。
【００６１】
本実施形態にかかる除電装置ではイオン発生器２１の形状を変更することなく、ダクトの断面積を変更することができ、流量にかかわらず良好なイオンバランスの気流を吹出し口から吹き出すことができる。なお、ダクトの断面形状は、イオン発生器２１の個数の２倍の正多角形状の放電針が配置されるものである。
【００６２】
なお、予め気流の流量と断面形状（イオン発生器の個数）を決めたテーブルを用意しておき、そのテーブルに従って、断面形状及びイオン発生器の個数を決定するようにしてもよい。このようにすることで、ダクトの形状を容易に決定することができる。
【００６３】
（第４実施形態）
本発明にかかる除電装置のさらに他の例について図面を参照して説明する。図１２は本発明にかかる除電装置に用いられるルーバの一例を示す正面図である。除電装置は、イオンを吹き付けることで対象体を除電するものであり、除電の範囲は対象体によって変化する。図１等に示す除電装置では、気流が開口から軸方向に流れる構成であり、部分的に気流を吹き付けることができる。
【００６４】
一方で、広い範囲にイオンを吹き付けようとすると、図１等に示す形状では気流の照射範囲が狭いため、除電装置を移動させてイオンを吹き付ける必要がある。この場合、除電装置の移動が安定しないと、吹き付けられるイオンの量（濃度）がばらつくことがあり、効果的な除電が困難になる場合がある。
【００６５】
そこで、図１２に示すようなルーバ７を用いている。ルーバ７は円筒形状の軸方向の一方の端部を軸と直交する１つの方向に偏平させた形状の吹出し部７１を備えている。気流は吹出し部７１の内面に沿って流れるため、吹出し部７１を形成することで偏平方向に広がるような気流が流れる。これにより、一方向に広い範囲に気流を吹出すとともに気流に乗せて広い範囲にイオンを供給することができ、広い範囲を等しく或いは略等しく除電することができる。
【００６６】
なお、除電装置Ａの吹出し口３が、除電対象体（除電対象範囲）の大きさ、形状、除電に必要なイオンの濃度に合わせて取り替え可能になっていてもよい。例えば、除電範囲が狭い場合や除電対象体に高濃度のイオンを吹き付ける必要がある場合、図１等に示すようなルーバ３０１を用いようにしてもよい。また、除電範囲が広い場合や大きな除電対象体を均一又は略均一に除電をする必要がある場合、図１２に示すようなルーバ７を用いるようにしてもよい。このようにルーバを取り換え可能とすることで、１台の除電装置で複数の要求に応じた除電を行うことが可能である。
【００６７】
なお、上述の各実施形態では、ファンとして軸流ファン（プロペラファン）を用いたものとしているが、これに限定されるものではなく、遠心ファン（例えば、シロッコファン）を用いるものであってもよい。また、これら以外にも、気流を発生するファンを広く採用することができる。なお、気流が旋回しないファンを用いる場合、ステータを省略してもよい。
【００６８】
以上、本発明の実施形態について説明したが、本発明はこの内容に限定されるものではない。また本発明の実施形態は、発明の趣旨を逸脱しない限り、種々の改変を加えることが可能である。
【００６９】
以上説明した本発明にかかる除電装置は、ダクトと、前記ダクトの内部を軸方向に流れる気流を発生させる送風機と、極性が異なるイオンを発生する少なくとも一対の放電針を有する複数個のイオン発生器と、を備え、前記イオン発生器は、前記ダクトに前記放電針の少なくとも尖端が前記ダクトの内部に突出するように配置されており、前記複数個のイオン発生器が前記ダクトの周方向に間隔をあけて配置されている。
【００７０】
上述した除電装置は、隣合う前記放電針が異なる極性のイオンを発生するものであるとともに前記放電針の先端が前記周方向に等間隔に配列されていてもよい。
【００７１】
上述した除電装置は、前記ダクトの前記送風機と前記イオン発生器との間の部分には、前記ダクトの内部を周方向に前記放電針と同数の領域に分割するとともに前記気流を軸方向に整流する整流部材が備えられており、前記整流部材で分割された各領域は少なくとも１個の前記放電針と軸方向に重なってもよい。
【００７２】
上述した除電装置は、前記送風機は、軸流プロペラと、前記軸流プロペラを回転駆動する電動機とを備えており、前記電動機は前記ダクトの内部に設けられており、前記電動機の外周面が前記放電針の先端と前記ダクトの径方向に対向してもよい。
【００７３】
上述した除電装置は、前記ダクトは円形断面の円筒部と、前記円筒部と一体的に連結されているとともに前記イオン発生器が配置される取付部とを備えており、前記取付部は前記放電部のそれぞれを取り付ける複数個の平面部分と、複数個の前記平面部分を周方向に連結する連結部分とを有していてもよい。
【００７４】
上述した除電装置は、前記連結部分が曲面であり、前記連結部分の曲率中心が前記ダクトの中心軸と重なってもよい。
【００７５】
上述した除電装置は、前記取付部の軸と垂直な断面の断面積は、前記円筒部の軸と垂直な断面の断面積よりも小さく、前記円筒部から前記取付部に向かって小さくなる傾斜面が形成されていてもよい。
【００７６】
上述した除電装置は、前記取付部が前記イオン発生器の個数の２倍の辺を有する多角形であってもよい。
【００７７】
上述した除電装置は、前記ダクトの前記放電部よりも気流の下流側に前記ダクトの軸と垂直な１方向に偏平させた吐出部が設けられていてもよい。
【符号の説明】
【００７８】
Ａ  除電装置
１  送風機
１０１  送風機ケース
１０２  送風機カバー
１０３  ファン
１０４  ファンケース
１０５  ステータ
１０６  モータ
１０７  フィルタカバー
１０８  吸込口
１１０  貫通孔
２  イオン発生装置
２０１  ユニットケース
２０２  ユニットカバー
２０３  通気口
２０４  リブ
２０５  貫通孔
２０６  リブ
２１  イオン発生器
２１１  ケース
２１２  プラス放電針
２１３  マイナス放電針
３  吹出し口
３０１  ルーバ
３０２  グリッド
４  スタンド
４０１  立脚部
４０２  ヒンジ部
５  基板収容部
５０１  ケース
５０２  前カバー
６  イオン検出器
【図１】
0006619181.tif 000002
【図２】
0006619181.tif 000003
【図３】
0006619181.tif 000004
【図４】
0006619181.tif 000005
【図５】
0006619181.tif 000006
【図６】
0006619181.tif 000007
【図７】
0006619181.tif 000008
【図８】
0006619181.tif 000009
【図９】
0006619181.tif 000010
【図１０】
0006619181.tif 000011
【図１１】
0006619181.tif 000012
【図１２】
0006619181.tif 000013